(57)【要約】      （修正有）【課題】新規な道路や造成地に形成された法面を対象として、植生基盤材を吹き付けて緑化する際に、植生基盤材が法面の傾斜が急勾配であるため流亡する場合がある。これらの流亡を防ぐための基材及びそれを利用した法面構造物を開発する。【解決手段】二等辺三角形の頂角を挟む二辺に部材を設け、この部材を法面１１に沿って固定した荷重緩徐材１８及びこの荷重緩徐材を法面に千鳥掛け状に複数配置し、該荷重緩徐材を覆って植生基盤材を吹き付けた法面構造物を提供するに至った。【選択図】図７
0003103559.tif 000002
【実用新案登録請求の範囲】
【請求項１】
二等辺三角形の頂角を挟む二辺に板状の部材を法面に対して垂直に設け、該板状の部材を頂点において連結し、該板状の部材をアンカーにより法面に沿って固定することを特徴とする荷重緩徐材。
【請求項２】
二等辺三角形の頂角を挟む二辺に幅が５ｃｍ〜１５ｃｍ、長さが１ｍ〜１．５ｍ、厚さが２ｍｍ〜１０ｍｍである板状の部材を法面に対して垂直に設け、該板状の部材を頂点において蝶番により連結し、該板状の部材をアンカーにより法面に沿って固定することを特徴とする荷重緩徐材。
【請求項３】
二等辺三角形の頂角を挟む二辺に板状の部材を法面に対して垂直に設け、該板状の部材を頂点において連結した荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物。
【請求項４】
二等辺三角形の頂角を挟む二辺に幅が５ｃｍ〜１５ｃｍ、長さが１ｍ〜１．５ｍ、厚さが２ｍｍ〜１０ｍｍである板状の部材を法面に対して垂直に設け、該板状の部材を頂点において蝶番により連結した荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物。
【請求項５】
二等辺三角形の頂角を挟む二辺に断面がＬ型の部材の一辺を法面に対して垂直に、他の一辺を法面に接して設け、該断面がＬ型の部材の法面に対して垂直な一辺を頂点において連結し、該断面がＬ型の部材をアンカーにより法面に沿って固定することを特徴とする荷重緩徐材。
【請求項６】
二等辺三角形の頂角を挟む二辺にＬ型の一辺が５ｃｍ〜１５ｃｍ、長さが１ｍ〜１．５ｍ、厚さが２ｍｍ〜１０ｍｍである断面がＬ型の部材の一辺を法面に対して垂直に、他の一辺を法面に接して設け、該断面がＬ型の部材の法面に対して垂直な一辺を頂点において蝶番により連結し、該断面がＬ型の部材をアンカーにより法面に沿って固定することを特徴とする荷重緩徐材。
【請求項７】
二等辺三角形の頂角を挟む二辺にＬ型の一辺が５ｃｍ〜１５ｃｍ、長さが１ｍ〜１．５ｍであって、線径が５ｍｍ〜１０ｍｍ、網の目が１０ｍｍ〜３０ｍｍであるクリンプ金網、織金網またはエキスパンドメタルであるメッシュ状の金網を、断面がＬ型の部材の一辺を法面に対して垂直に、他の一辺を法面に接して設け、該断面がＬ型の部材の法面に対して垂直な一辺を頂点において連結し、該断面がＬ型の部材をアンカーにより法面に沿って固定することを特徴とする荷重緩徐材。
【請求項８】
二等辺三角形の頂角を挟む二辺に断面がＬ型の部材の一辺を法面に対して垂直に、他の一辺を法面に接して設け、該断面がＬ型の部材の法面に対して垂直な一辺を頂点において連結した荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物。
【請求項９】
二等辺三角形の頂角を挟む二辺にＬ型の一辺が５ｃｍ〜１５ｃｍ、長さが１ｍ〜１．５ｍ、厚さが２ｍｍ〜１０ｍｍである断面がＬ型の部材の一辺を法面に対して垂直に、他の一辺を法面に接して設け、該断面がＬ型の部材の法面の法面に対して垂直な一辺を頂点において蝶番により連結した荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物。
【請求項１０】
二等辺三角形の頂角を挟む二辺にＬ型の一辺が５ｃｍ〜１５ｃｍ、長さが１ｍ〜１．５ｍであって、線径が５ｍｍ〜１０ｍｍ、網の目が１０ｍｍ〜３０ｍｍであるクリンプ金網、織金網またはエキスパンドメタルであるメッシュ状の金網を、断面がＬ型の部材の一辺を法面に対して垂直に、他の一辺を法面に接して設け、該断面がＬ型の部材の法面に対して垂直な一辺を頂点において連結した荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物。
【請求項１１】
二等辺三角形の頂角を挟む二辺に半円筒形の部材を設け、該半円筒形の部材の少なくとも２箇所にアンカー用の穴を設け、該半円筒形の部材をアンカーにより法面に沿って固定することを特徴とする荷重緩徐材。
【請求項１２】
二等辺三角形の頂角を挟む二辺に直径が５ｃｍ〜１５ｃｍ、長さが１ｍ〜１．５ｍ、厚さが２ｍｍ〜１０ｍｍである半円筒形の部材を設け、該半円筒形の部材の少なくとも２箇所にアンカー用の穴を設け、該半円筒形の部材をアンカーにより法面に沿って固定することを特徴とする荷重緩徐材。
【請求項１３】
二等辺三角形の直角を挟む二辺に半円筒形の部材を設け、該半円筒形の部材の少なくとも２箇所にアンカー用の穴を設けた荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物。
【請求項１４】
二等辺三角形の直角を挟む二辺に直径が５ｃｍ〜１５ｃｍ、長さが１ｍ〜１．５ｍ、厚さが２ｍｍ〜１０ｍｍである半円筒形の部材を設け、該半円筒形の部材の少なくとも２箇所にアンカー用の穴を設けた荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物。
【請求項１５】
二等辺三角形の頂角を挟む二辺に半円柱形の部材を設け、該半円柱形の部材の少なくとも２箇所にアンカー用の穴を設け、該半円柱形の部材をアンカーにより法面に沿って固定することを特徴とする荷重緩徐材。
【請求項１６】
二等辺三角形の頂角を挟む二辺に直径が５ｃｍ〜１５ｃｍ、長さが１ｍ〜１．５ｍである半円柱形の部材を設け、該半円柱形の部材の少なくとも２箇所にアンカー用の穴を設け、該半円柱形の部材をアンカーにより法面に沿って固定することを特徴とする荷重緩徐材。
【請求項１７】
二等辺三角形の直角を挟む二辺に半円柱形の部材を設け、半円柱形の部材の少なくとも２箇所にアンカー用の穴を設けた荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物。
【請求項１８】
二等辺三角形の直角を挟む二辺に直径が５ｃｍ〜１５ｃｍ、長さが１ｍ〜１．５ｍである半円柱形の部材を設け、該半円柱形の部材の少なくとも２箇所にアンカー用の穴を設けた荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物。
【請求項１９】
二等辺三角形の頂角を挟む二辺に断面がＬ型の部材を法面に対して山型に設け、該断面がＬ型の部材の少なくとも２箇所にアンカー用の穴を設け、該断面がＬ型の部材をアンカーにより法面に沿って固定することを特徴とする荷重緩徐材。
【請求項２０】
二等辺三角形の頂角を挟む二辺にＬ型の一辺が５ｃｍ〜１５ｃｍ、長さが１ｍ〜１．５ｍ、厚さが２ｍｍ〜１０ｍｍである断面がＬ型の部材を法面に対して山型に設け、該断面がＬ型の部材の少なくとも２箇所にアンカー用の穴を設け、該断面がＬ型の部材をアンカーにより法面に沿って固定することを特徴とする荷重緩徐材。
【請求項２１】
二等辺三角形の頂角を挟む二辺にＬ型の一辺が５ｃｍ〜１５ｃｍ、長さが１ｍ〜１．５ｍであって、線径が５ｍｍ〜１０ｍｍ、網の目が１０ｍｍ〜３０ｍｍであるクリンプ金網、織金網またはエキスパンドメタルであるメッシュ状の金網を、法面に対して山型に設け、該断面がＬ型の部材をアンカーにより法面に沿って固定することを特徴とする荷重緩徐材。
【請求項２２】
二等辺三角形の直角を挟む二辺に断面がＬ型の部材を法面に対して山型に設け、該断面がＬ型の部材の少なくとも２箇所にアンカー用の穴を設けた荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物。
【請求項２３】
二等辺三角形の直角を挟む二辺にＬ型の一辺が５ｃｍ〜１５ｃｍ、長さが１ｍ〜１．５ｍ、厚さが２ｍｍ〜１０ｍｍである断面がＬ型の部材を法面に対して山型に設け、該断面がＬ型の部材の少なくとも２箇所にアンカー用の穴を設けた荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物。
【請求項２４】
二等辺三角形の頂角を挟む二辺にＬ型の一辺が５ｃｍ〜１５ｃｍ、長さが１ｍ〜１．５ｍであって、線径が５ｍｍ〜１０ｍｍ、網の目が１０ｍｍ〜３０ｍｍであるクリンプ金網、織金網またはエキスパンドメタルであるメッシュ状の金網を、法面に対して山型に設けた荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物。
【請求項２５】
二等辺三角形の頂角を挟む二辺に断面が扇形の部材を設け、該断面が扇形の部材の少なくとも２箇所にアンカー用の穴を設け、該断面が扇形の部材をアンカーにより法面に沿って固定することを特徴とする荷重緩徐材。
【請求項２６】
二等辺三角形の頂角を挟む二辺に半径が５ｃｍ〜１５ｃｍ、長さが１ｍ〜１．５ｍである断面が扇形の部材を縦断面の一面が法面に対して垂直に設け、該断面が扇形の部材の少なくとも２箇所にアンカー用の穴を設け、該断面が扇形の部材をアンカーにより法面に沿って固定することを特徴とする荷重緩徐材。
【請求項２７】
二等辺三角形の頂角を挟む二辺に断面が扇形の部材を設け、該断面が扇形の部材の少なくとも２箇所にアンカー用の穴を設けた荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物。
【請求項２８】
二等辺三角形の頂角を挟む二辺に半径が５ｃｍ〜１５ｃｍ、長さが１ｍ〜１．５ｍである断面が扇形の部材を縦断面の一面が法面に対して垂直に設け、該断面が扇形の部材の少なくとも２箇所にアンカー用の穴を設けた荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物。
【考案の詳細な説明】
【技術分野】
【０００１】
本考案は、新規な道路や造成地に形成された法面や斜面またはダム湖やため池などの湛水法面を緑化するために、植生基盤材を吹き付けるに際して該植生基盤材の流亡を防ぐための荷重緩徐部材を設けた荷重緩徐材並びに該荷重緩徐材の上に植生基盤材を吹き付けた法面構造物に関するものである。
【背景技術】
【０００２】
新規な道路や造成地においては工事の施工により法面や斜面が形成される場合があり、またダム湖を代表とする湖や池、あるいは河川においては、その周囲に断面が図１に示すような、湛水法面が存在する。このような法面および斜面を緑化するために植生基盤材を吹き付けるが、その斜面または法面の傾斜が急勾配であったり、施工後に大量の降雨があった場合には、植生基盤材が雨水とともに流亡してしまう場合がある。また、湛水法面では、満水時においても水面の上位に位置する陸上領域、水面の上下によって水面下になったり、水面の上位になったりする変動水位領域があり、陸上領域および変動水位領域ともに緑化領域の対象としているので、特に変動水位領域では、波浪あるいは洗掘などの物理的障害によって、その表土は不安定であり裸地となっているために、植生基盤材を吹き付けても常に崩壊の危険に曝されている。そのため、網籠内に不織布の袋を収納し、その袋の内部に植生基盤材を充填したボックスを湛水法面に連続的に設置する方法が提案され（例えば、特許文献１を参照。）、道路脇壁面や法面等の斜面に形成したコンクリート擁壁面等の硬質斜面に法面用アンカーを使用した植生を行うための植生工法が提案された（例えば、特許文献２を参照。）。また、図２および図３に示したように、法面上にアンカー軸の上方部にこれと直交する方向に延びる羽根板を有し、且つその下方部には翼部を有した法面用アンカーを千鳥掛け状に配列するよう多数打ち込んで、これら法面用アンカーの羽根板による多数の堰を法面上に分散した状態で形成させた後に、羽根板の上端部が隠れるような状態で植生基盤材を吹き付ける方法が提案され（例えば、特許文献３を参照。）、湛水池等の急勾配法面地山全面に不織布を敷き、この上からアンカーを打設して不織布のずれ止めを施し、不織布上に連続長繊維と礫とを混合した覆工を施し、この覆工上に緑化部を施すことを提案した（例えば、特許文献４を参照。）。さらには、主として耐水性を有する草本類の植生基盤を法面に造成し、この植生基盤を不織布および多孔隙マットで覆い、更にその上を防蝕性を有する網体により被覆固定する緑化方法が提案され（例えば、特許文献５を参照。）、アンカー挿入用の穴をあけた多数の竹筒を穴に挿通したアンカーによって湛水法面に適宜間隔で固定した後、これらの竹筒間及び上に、植生基盤材等の吹き付け材を被覆する湛水法面の緑化方法が提案された（例えば、特許文献６を参照。）。しかしながら、上記の提案はそれぞれ欠点を有し、新規な道路や造成地に形成された法面またはダム湖やため池などの湛水法面を緑化する適切な方法が見出されていないのが現状である。
【特許文献１】特開平６−３２２７３１号公報
【特許文献２】特許第３３００９３４号公報
【特許文献３】特許第３３００９３５号公報
【特許文献４】特開平８−１２０６４０号公報
【特許文献５】特開平８−３３３７３５号公報
【特許文献６】特許第２９１２９３８号公報
【考案の開示】
【考案が解決しようとする課題】
【０００３】
本考案は、新規な道路や造成地に形成された法面や斜面またはダム湖やため池などの湛水法面を対象として、植生基盤材を吹き付けて緑化する際に、吹き付けられた植生基盤材が斜面や法面の傾斜が急勾配であるため、或いは湛水法面では波浪や洗掘などのため、さらには多量の降雨により、植生基盤材が流亡する場合があるので、これらの流亡を防ぐための基材およびそれを利用した法面構造物を開発することが課題であった。
【課題を解決するための手段】
【０００４】
本考案者らは、これらの課題を解決するために種々の検討を行った結果、二等辺三角形の頂角を挟む二辺に部材を設け、該部材を法面に沿って固定する荷重緩徐材および該荷重緩徐材を覆って植生基盤材を吹き付けた法面構造物を提供するに至った。
【０００５】
すなわち、二等辺三角形の頂角を挟む二辺に板状の部材を法面に対して垂直に設け、該板状の部材を頂点において連結し、該板状の部材をアンカーにより法面に沿って固定することを特徴とする荷重緩徐材である。
【０００６】
本考案の第二は、二等辺三角形の頂角を挟む二辺に幅ａが５ｃｍ〜１５ｃｍ、長さｂが１ｍ〜１．５ｍ、厚さｃが２ｍｍ〜１０ｍｍである板状の部材を法面に対して垂直に設け、該板状の部材を頂点において蝶番19により連結し、該板状の部材をアンカー35により法面に沿って固定することを特徴とする荷重緩徐材である。
【０００７】
本考案の第三は、二等辺三角形の頂角を挟む二辺に板状の部材を法面に対して垂直に設け、該板状の部材を頂点において連結した荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物である。
【０００８】
本考案の第四は、二等辺三角形の頂角を挟む二辺に幅ａが５ｃｍ〜１５ｃｍ、長さｂが１ｍ〜１．５ｍ、厚さｃが２ｍｍ〜１０ｍｍである板状の部材を法面に対して垂直に設け、該板状の部材を頂点において蝶番19により連結した荷重緩徐材を備え、この荷重緩徐材を法面に千鳥掛け状に複数配置し、アンカー35により法面に沿って固定した荷重緩徐材の上に植生基盤材を吹き付けたことを特徴とする法面構造物である。
【０００９】
本考案の第五は、二等辺三角形の頂角を挟む二辺に断面がＬ型の部材の一辺を法面に対して垂直に、他の一辺を法面に接して設け、該断面がＬ型の部材の法面に対して垂直な一辺を頂点において連結し、該断面がＬ型の部材をアンカーにより法面に沿って固定することを特徴とする荷重緩徐材である。
【００１０】
本考案の第六は、二等辺三角形の頂角を挟む二辺にＬ型の一辺ｄが５ｃｍ〜１５ｃｍ、長さｂが１ｍ〜１．５ｍ、厚さｃが２ｍｍ〜１０ｍｍである断面がＬ型の部材の一辺を法面に対して垂直に、他の一辺を法面に接して設け、該断面がＬ型の部材の法面に対して垂直な一辺を頂点において蝶番19により連結し、該断面がＬ型の部材をアンカー35により法面に沿って固定することを特徴とする荷重緩徐材である。
【００１１】
本考案の第七は、二等辺三角形の頂角を挟む二辺にＬ型の一辺ｄが５ｃｍ〜１５ｃｍ、長さｂが１ｍ〜１．５ｍであって、線径が５ｍｍ〜１０ｍｍ、網の目が１０ｍｍ〜３０ｍｍであるクリンプ金網、織金網またはエキスパンドメタルであるメッシュ状の金網を、断面がＬ型の部材の一辺を法面に対して垂直に、他の一辺を法面に接して設け、該断面がＬ型の部材の法面に対して垂直な一辺を頂点において連結し、該断面がＬ型の部材をアンカー35により法面に沿って固定することを特徴とする荷重緩徐材である。
【００１２】
本考案の第八は、二等辺三角形の頂角を挟む二辺に断面がＬ型の部材の一辺を法面に対して垂直に、他の一辺を法面に接して設け、該断面がＬ型の部材の法面に対して垂直な一辺を頂点において連結した荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物である。
【００１３】
本考案の第九は、二等辺三角形の頂角を挟む二辺にＬ型の一辺ｄが５ｃｍ〜１５ｃｍ、長さｂが１ｍ〜１．５ｍ、厚さｃが２ｍｍ〜１０ｍｍである断面がＬ型の部材の一辺を法面に対して垂直に、他の一辺を法面に接して設け、該断面がＬ型の部材の法面の法面に対して垂直な一辺を頂点において蝶番19により連結した荷重緩徐材を備え、この荷重緩徐材を法面に千鳥掛け状に複数配置し、アンカー35により法面に沿って固定した荷重緩徐材の上に植生基盤材を吹き付けたことを特徴とする法面構造物である。
【００１４】
本考案の第十は、二等辺三角形の頂角を挟む二辺にＬ型の一辺ｄが５ｃｍ〜１５ｃｍ、長さｂが１ｍ〜１．５ｍであって、線径が５ｍｍ〜１０ｍｍ、網の目が１０ｍｍ〜３０ｍｍであるクリンプ金網、織金網またはエキスパンドメタルであるメッシュ状の金網を、断面がＬ型の部材の一辺を法面に対して垂直に、他の一辺を法面に接して設け、該断面がＬ型の部材の法面に対して垂直な一辺を頂点において連結した荷重緩徐材を備え、この荷重緩徐材を法面に千鳥掛け状に複数配置し、アンカー35により法面に沿って固定した荷重緩徐材の上に植生基盤材を吹き付けたことを特徴とする法面構造物である。
【００１５】
本考案の第十一は、二等辺三角形の頂角を挟む二辺に半円筒状の部材を設け、該半円筒状の部材の少なくとも２箇所にアンカー用の穴を設け、該半円筒状の部材をアンカーにより法面に沿って固定することを特徴とする荷重緩徐材である。
【００１６】
本考案の第十二は、二等辺三角形の頂角を挟む二辺に直径ｅが５ｃｍ〜１５ｃｍ、長さｂが１ｍ〜１．５ｍ、厚さｃが２ｍｍ〜１０ｍｍである半円筒状の部材を設け、該半円筒状の部材の少なくとも２箇所にアンカー用の穴を設け、該半円筒状の部材をアンカー35により法面に沿って固定することを特徴とする荷重緩徐材である。
【００１７】
本考案の第十三は、二等辺三角形の直角を挟む二辺に半円筒状の部材を設け、該半円筒状の部材の少なくとも２箇所にアンカー用の穴を設けた荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物である。
【００１８】
本考案の第十四は、二等辺三角形の直角を挟む二辺に直径ｅが５ｃｍ〜１５ｃｍ、長さｂが１ｍ〜１．５ｍ、厚さｃが２ｍｍ〜１０ｍｍである半円筒状の部材を設け、該半円筒状の部材の少なくとも２箇所にアンカー用の穴を設けた荷重緩徐材を備え、この荷重緩徐材を法面に複数配置し、アンカー35により法面に沿って固定した荷重緩徐材の上に植生基盤材を吹き付けたことを特徴とする法面構造物である。
【００１９】
本考案の第十五は、二等辺三角形の頂角を挟む二辺に半円柱形の部材を設け、該半円柱形の部材の少なくとも２箇所にアンカー用の穴を設け、該半円柱形の部材をアンカーにより法面に沿って固定することを特徴とする荷重緩徐材である。
【００２０】
本考案の第十六は、二等辺三角形の頂角を挟む二辺に直径eが５ｃｍ〜１５ｃｍ、長さbが１ｍ〜１．５ｍである半円柱形の部材を設け、該半円柱形の部材の少なくとも２箇所にアンカー用の穴を設け、該半円柱形の部材をアンカー35により法面に沿って固定することを特徴とする荷重緩徐材である。
【００２１】
本考案の第十七は、二等辺三角形の直角を挟む二辺に半円柱形の部材を設け、半円柱形の部材の少なくとも２箇所にアンカー用の穴を設けた荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物である。
【００２２】
本考案の第十八は、二等辺三角形の直角を挟む二辺に直径eが５ｃｍ〜１５ｃｍ、長さbが１ｍ〜１．５ｍである半円柱形の部材を設け、該半円柱形の部材の少なくとも２箇所にアンカー用の穴を設けた荷重緩徐材を備え、この荷重緩徐材を法面に千鳥掛け状に複数配置し、アンカー35により法面に沿って固定した荷重緩徐材の上に植生基盤材を吹き付けたことを特徴とする法面構造物である。
【００２３】
本考案の第十九は、二等辺三角形の頂角を挟む二辺に断面がＬ型の部材を法面に対して山型に設け、該断面がＬ型の部材の少なくとも２箇所にアンカー用の穴を設け、該断面がＬ型の部材をアンカーにより法面に沿って固定することを特徴とする荷重緩徐材である。  
【００２４】
本考案の第二十は、二等辺三角形の頂角を挟む二辺にＬ型の一辺ｄが５ｃｍ〜１５ｃｍ、長さｂが１ｍ〜１．５ｍ、厚さｃが２ｍｍ〜１０ｍｍである断面がＬ型の部材を法面に対して山型に設け、該断面がＬ型の部材の少なくとも２箇所にアンカー用の穴を設け、該断面がＬ型の部材をアンカー35により法面に沿って固定することを特徴とする荷重緩徐材である。
【００２５】
本考案の第二十一は、二等辺三角形の頂角を挟む二辺にＬ型の一辺ｄが５ｃｍ〜１５ｃｍ、長さｂが１ｍ〜１．５ｍであって、線径が５ｍｍ〜１０ｍｍ、網の目が１０ｍｍ〜３０ｍｍであるクリンプ金網、織金網またはエキスパンドメタルであるメッシュ状の金網を、法面に対して山型に設け、該断面がＬ型の部材をアンカー35により法面に沿って固定することを特徴とする荷重緩徐材である。
【００２６】
本考案の第二十二は、二等辺三角形の直角を挟む二辺に断面がＬ型の構造体を法面に対して山型に設け、該断面がＬ型の部材の少なくとも２箇所にアンカー用の穴を設けた荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物である。
【００２７】
本考案の第二十三は、二等辺三角形の直角を挟む二辺にＬ型の一辺ｄが５ｃｍ〜１５ｃｍ、長さｂが１ｍ〜１．５ｍ、厚さｃが２ｍｍ〜１０ｍｍである断面がＬ型の部材を法面に対して山型に設け、該断面がＬ型の部材の少なくとも２箇所にアンカー用の穴を設けた荷重緩徐材を備え、この荷重緩徐材を法面に千鳥掛け状に複数配置し、アンカー35により法面に沿って固定した荷重緩徐材の上に植生基盤材を吹き付けたことを特徴とする法面構造物である。
【００２８】
本考案の第二十四は、二等辺三角形の頂角を挟む二辺にＬ型の一辺ｄが５ｃｍ〜１５ｃｍ、長さｂが１ｍ〜１．５ｍであって、線径が５ｍｍ〜１０ｍｍ、網の目が１０ｍｍ〜３０ｍｍであるクリンプ金網、織金網またはエキスパンドメタルであるメッシュ状の金網を、法面に対して山型に設けた荷重緩徐材を備え、この荷重緩徐材を法面に千鳥掛け状に複数配置し、アンカー35により法面に沿って固定した荷重緩徐材の上に植生基盤材を吹き付けたことを特徴とする法面構造物である。
【００２９】
本考案の第二十五は、二等辺三角形の頂角を挟む二辺に断面が扇形の部材を設け、該断面が扇形の部材の少なくとも２箇所にアンカー用の穴を設け、該断面が扇形の部材をアンカーにより法面に沿って固定することを特徴とする荷重緩徐材である。
【００３０】
本考案の第二十六は、二等辺三角形の頂角を挟む二辺に半径iが５ｃｍ〜１５ｃｍ、長さbが１ｍ〜１．５ｍである断面が扇形の部材を縦断面の一面が法面に対して垂直に設け、該断面が扇形の部材の少なくとも２箇所にアンカー用の穴を設け、該断面が扇形の部材をアンカーにより法面に沿って固定することを特徴とする荷重緩徐材である。
【００３１】
本考案の第二十七は、二等辺三角形の頂角を挟む二辺に断面が扇形の部材を設け、該断面が扇形の部材の少なくとも２箇所にアンカー用の穴を設けた荷重緩徐材を備え、この荷重緩徐材を法面に千鳥掛け状に複数配置し、アンカーにより法面に沿って固定した荷重緩徐材の上に植生基盤材を吹き付けたことを特徴とする法面構造物である。
【００３２】
本考案の第二十八は、二等辺三角形の頂角を挟む二辺に半径iが５ｃｍ〜１５ｃｍ、長さbが１ｍ〜１．５ｍである断面が扇形の部材を縦断面の一面が法面に対して垂直に設け、該断面が扇形の部材の少なくとも２箇所にアンカー用の穴を設けた荷重緩徐材を備え、この荷重緩徐材を法面に千鳥掛け状に複数配置し、アンカー35により法面に沿って固定した荷重緩徐材の上に植生基盤材を吹き付けたことを特徴とする法面構造物である。
【考案の効果】
【００３３】
従来、植生基盤材吹付工を新規な道路や造成地に形成された法面や斜面に施工した場合には、法面や斜面が急勾配であると多量の降雨により植生基盤材が流亡することがある。また、ダム湖やため池などの湛水法面に植生基盤材吹付工を施工した場合には、波浪や洗掘のために植生基盤材が流亡することがある。これらの植生基盤材の流亡を防ぐために、図２に示したような羽根板を図３に示したように千鳥掛けに敷設することが提案されたが、これらの効果は充分なものではなく、往々にして植生基盤材の流亡がみられた。
【００３４】
しかしながら、本考案の二等辺三角形の頂角を挟む二辺に部材を設けた荷重緩徐材は、法面に千鳥掛け状に複数配置することにより、図１５および図１６に示したように植生基盤材の荷重Ｐが矢印の方向に働き、荷重緩徐材により固定されるので、植生基盤材を吹き付けた法面構造物は、その断面が図１７に示したように急勾配の法面や斜面においても、また湛水法面においても流亡することが防止された。
【考案を実施するための最良の形態】
【００３５】
本考案の二等辺三角形の頂角を挟む二辺に部材を設けた荷重緩徐材における、二等辺三角形の頂角は、特に限定されるものではないが、６０度乃至１２０度の範囲が望ましく、直角であることが作業性の上からも最も望ましい角度である。
【００３６】
本考案の二等辺三角形の頂角を挟む二辺に設けた板状の部材は、図４に示したように幅ａが５ｃｍ〜１５ｃｍ、長さｂが１ｍ〜１．５ｍ、厚さｃが２ｍｍ〜１０ｍｍであることが好ましく、頂点において板状の部材を蝶番19により連結することが作業性の上から好ましい。また、アンカー35によって法面に沿って固定する場合には、特にその方法は限定されないが、通常は図５に示した方法によるのが一般的である。
【００３７】
上記板状の部材は、その材質について特に限定されないが、木材、合板、鉄材などいずれも使用することができる。特に、建築廃材である木材、合板、鉄材などは、十分にその役割を果たすことができるので、本考案を実施する上からも好ましい。
【００３８】
本考案の二等辺三角形の頂角を挟む二辺に設けたＬ型の部材は、Ｌ型の一辺ｄが５ｃｍ〜１５ｃｍ、長さｂが１ｍ〜１．５ｍ、厚さｃが２ｍｍ〜１０ｍｍであることが好ましく、その材質については特に限定されない。通常は、上記に合う規格のＬ型鋼が入手のし易さ、作業性の面からも本考案を実施する上で好ましい。また、その利用方法の第一は、図８に示したようにＬ型の一辺を法面に対して垂直に、他の一辺を法面に接して使用する方法であって、法面への固定は図９に示したようにアンカー35によって法面に固定する。その利用方法の第二は、図１１に示したように法面に対して山型に置く方法であって、法面への固定はアンカー35によって行う。
【００３９】
本考案におけるＬ型の部材としては、クリンプ金網、織金網またはエキスパンドメタルであるメッシュ状の金網を使用することができ、金網としては線径が５ｍｍ〜１０ｍｍ、網の目が１０ｍｍ〜３０ｍｍであることが好ましい。
【００４０】
本考案の二等辺三角形の頂角を挟む二辺に設けた半円筒状の部材は、図１０に示したように、直径ｅが５ｃｍ〜１５ｃｍ、長さｂが１ｍ〜１．５ｍ、厚さｃが２ｍｍ〜１０ｍｍであることが好ましく、材質は特に限定されないが、上記寸法の竹材が得られれば重量も軽く作業性の上からも本考案を実施する上で好ましい。また、法面への固定は図１０に示したようにアンカー35によって行われる。
【００４１】
本考案の二等辺三角形の頂角を挟む二辺に設けた半円柱形の部材及び断面が扇形の部材の材質は、特に限定されないが、資源の有効利用の面から間伐材を利用することが望ましい。例えば、図１３に示したように、間伐材の直径ｅが適当であれば、半円柱形の部材を作製し、利用することができる。また、間伐材の直径ｅが太ければ、半円柱形の部材を作製した後、断面が扇形の部材を作製することができる。従って、断面が扇形の部材の頂角は９０度であることが、資源の有効利用の面からも好ましい。
【００４２】
本考案の二等辺三角形の頂角を挟む二辺に設けた半円柱形の部材は、図１２（ａ）に示したように、直径eが５ｃｍ〜１５ｃｍ、長さbが１ｍ〜１．５ｍである半円柱形の部材であることが好ましく、上記寸法の間伐材が得られれば資源の有効利用の面からも本考案を実施する上で好ましい。また、法面への固定は図１２（ａ）に示したようにアンカー35によって行ってもよいし、平面を法面に接触させて図１０の半円筒形の部材に準じてアンカー35によって固定してもよい。
【００４３】
本考案の二等辺三角形の頂角を挟む二辺に設けた断面が扇形の部材は、図１２（ｂ）に示したように、半径iが５ｃｍ〜１５ｃｍ、長さbが１ｍ〜１．５ｍである断面が扇形の部材を縦断面の一面を法面に対して垂直に設け、断面が扇形の部材の少なくとも２箇所にアンカー用の穴を設け、アンカー35により法面に沿って固定することが好ましい。
【００４４】
本考案において植生基盤材を吹き付けるためには、図７または図１４に示したように荷重緩徐材を千鳥掛け状に複数配置し、アンカーによって法面に沿って固定し、その上に植生基盤材を吹き付けることによって法面構造物を敷設する。このとき、植生基盤材の荷重Ｐは、図１５または図１６の矢印で示したように働き、荷重緩徐材により滞留し、たとえ法面の勾配が急であっても流亡することなく、目的とする場所に法面構造物を敷設することができる。
【００４５】
本考案における法面構造物は、図１７にその断面図を示したように、荷重緩徐材の上から植生基盤材を吹き付けることによって、植生基盤材の流亡が起こることなく、所期の緑化を達成することができる。
【実施例】
【００４６】
（実施例１）
緑化を目的として、株式会社マキノグリーンの実験ヤード（山口県北部：４２．６ｍ×２０．９ｍ）において、直角二等辺三角形の頂角を挟む二辺に幅ａが１０ｃｍ、長さｂが１ｍ、厚さｃが５ｍｍの板状の部材からなる荷重緩徐材18を、図７に示すように、ｆを２００ｃｍ、ｇを６０ｃｍ、ｈを１００ｃｍの間隔で、横に１０個、縦に２５列の計２５０個を千鳥掛け状に配置し、アンカーによって法面に固定した。この上に表１に示した植生基盤材の配合設計に基づき、セメント２０ｋｇ、砂・砂質土１，５００ｋｇ、繊維補強材としてココナッツ繊維２００Ｌ、ｐＨ緩衝剤として過燐酸石灰１．５ｋｇ、コーティング肥料１．５ｋｇ、増粘材として石炭灰２５ｋｇ、水１６０ｋｇ並びにミズアカネの種子３７２ｇおよびペレニアルライグラスの種子２８ｇを、実験ヤードにおいて空気率が１０％になるように吹き付けた。植生基盤施工後１４カ月後にその植生結果を調査した。その結果、幼木の密度は表２に示したとおりであって、所期の目的を達成した。
【００４７】
【表１】
0003103559.tif 000003
【００４８】
【表２】
0003103559.tif 000004
【００４９】
（実施例２）
緑化を目的として、株式会社マキノグリーンの実験ヤード（熊本県中部：６２．５ｍ×４０．０ｍ）において、直角二等辺三角形の頂角を挟む二辺に直径ｅが１０ｃｍ、長さｂが１ｍ、厚さｃが５ｍｍの半円筒状の竹筒の部材からなる荷重緩徐材28を、図１２に示すように、ｆを２００ｃｍ、ｇを６０ｃｍ、ｈ’を８０ｃｍの間隔で、横に２０個、縦に４１列の計８２０個を千鳥掛け状に配置し、アンカーによって法面に固定した。この上に根茎固定層および耐食層からなる植生基盤材を表３に示した配合設計に基づき、セメント２０ｋｇ、砂・砂質土１，５００ｋｇ、繊維補強材としてココナッツ繊維２００Ｌ、ｐＨ緩衝剤として過燐酸石灰１．５ｋｇ、コーティング肥料１．５ｋｇ、増粘材として石炭灰２５ｋｇおよび水１６０ｋｇを実験ヤードにおいて空気率が１０％になるように吹き付けた。根茎固定層を施工後、ココナッツ繊維からなる２５ｍｍ×２０ｍｍの網目の植物性ネットにより根茎固定層を被い、その上層に耐食層を表３に示した配合設計に基づき、繊維補強材としてココナッツ繊維８３０Ｌ、コーティング肥料４ｋｇ、増粘材として石炭灰２５ｋｇ、侵食防止剤としてポリ酢酸ビニル５ｋｇ、水１６０ｋｇ並びにヤマハギの種子１０５．８ｇ、メドハギの種子４７．６ｇ、ペレニアルライグラスの種子１３．６ｇおよびミズアカネの種子を適当量を吹き付けた。植生基盤施工後１４カ月後にその植生結果を調査した。その結果、幼木が得られ、各樹種別の密度は表４に示したとおりであって、所期の目的を達成した。
【００５０】
【表３】
0003103559.tif 000005
【００５１】
【表４】
0003103559.tif 000006
【産業上の利用可能性】
【００５２】
本考案は、新規な道路や造成地に形成された法面や斜面またはダム湖やため池などの湛水法面を緑化するために、たとえ法面や斜面の勾配が大であっても植生基盤材を吹き付けるに際して植生基盤材の流亡を防ぎ、短期間に効率よく緑化することができる。
【図面の簡単な説明】
【００５３】
【図１】湛水法面の断面図
【図２】アンカー軸の上方部に、これと直交する方向に延びる羽根板を有し、且つその下方部には翼部を有した法面用アンカーの１例
【図３】法面用アンカーを千鳥掛け状に配置した１例
【図４】（ａ）板状の部材を有する荷重緩徐材の上面図の１例       （ｂ）板状の部材を有する荷重緩徐材の正面図の１例
【図５】板状の部材を有する荷重緩徐材をアンカーにより固定した１例
【図６】板状の部材を有する荷重緩徐材の断面図の１例
【図７】板状の部材を有する荷重緩徐材を千鳥掛け状に複数配置した１例
【図８】（ａ）断面がＬ型の部材を有する荷重緩徐材の１例       （ｂ）断面がＬ型であって網状の部材を有する荷重緩徐材の１例
【図９】（ａ）断面がＬ型の部材を有する荷重緩徐材をアンカーにより固定した１例       （ｂ）断面がＬ型の部材を有する荷重緩徐材をアンカーにより固定した他の１例
【図１０】半円筒状の部材を有する荷重緩徐材をアンカーにより固定した１例
【図１１】断面がＬ型の部材を有する荷重緩徐材をアンカーにより固定した他の１例
【図１２】（ａ）半円柱形の部材を有する荷重緩徐材をアンカーにより固定した１例         （ｂ）断面が扇形の部材を有する荷重緩徐材をアンカーにより固定した１例
【図１３】円柱の材料より半円柱形の部材及び断面が扇形の部材を作製する工程図
【図１４】半円筒状の部材を有する荷重緩徐材を千鳥掛け状に複数配置した１例
【図１５】板状の部材を有する荷重緩徐材と植生基盤材との作用関係を示す図
【図１６】半円筒状の部材を有する荷重緩徐材と植生基盤材との作用関係を示す図
【図１７】荷重緩徐材の上に植生基盤材を吹き付けた法面構造物の断面図の１例
【符号の説明】
【００５４】
１０：湛水法面
１１：法面
１２：変動水位領域の植生の１例
１３：陸上領域の植生の１例
１４：法面用アンカー
１５：法面用アンカー軸
１６：法面用アンカー羽根板
１７：法面用アンカー翼部
１８：板状の部材を有する荷重緩徐材
１９：蝶番
２０：丸棒
２１：板状の部材
２２：板状の部材の支持具
２３：板状の部材の止め具
２４：断面がＬ型の部材を有する荷重緩徐材
２５：断面がＬ型の部材
２６：網状の部材を有する荷重緩徐材
２７：網状の部材
２８：半円筒状の部材を有する荷重緩徐材
２９：半円筒状の部材
３０：円柱の材料
３１：半円柱形の部材を有する荷重緩徐材
３２：半円柱形の部材
３３：断面が扇形の部材を有する荷重緩徐材
３４：断面が扇形の部材
３５：荷重緩徐材用アンカー
３６：法面構造物
ａ：部材の幅
ｂ：部材の長さ
ｃ：部材の厚さ
ｄ：Ｌ型部材の一辺の長さ
ｅ：半円筒状部材及び半円柱形部材の直径
ｆ：隣接する荷重緩徐材の頂点の間隔
ｇ：隣接する荷重緩徐材の端末の間隔
ｈ、ｈ’： 上下に接する荷重緩徐材の端末と頂点との間隔
ｉ：断面が扇形の部材の半径
Ｐ：植生基盤材の荷重
【図１】
0003103559.tif 000007
【図２】
0003103559.tif 000008
【図３】
0003103559.tif 000009
【図４】
0003103559.tif 000010
【図５】
0003103559.tif 000011
【図６】
0003103559.tif 000012
【図７】
0003103559.tif 000013
【図８】
0003103559.tif 000014
【図９】
0003103559.tif 000015
【図１０】
0003103559.tif 000016
【図１１】
0003103559.tif 000017
【図１２】
0003103559.tif 000018
【図１３】
0003103559.tif 000019
【図１４】
0003103559.tif 000020
【図１５】
0003103559.tif 000021
【図１６】
0003103559.tif 000022
【図１７】
0003103559.tif 000023